(57)【要約】【課題】  記録ヘッドの保守を行うヘッド保守装置を備えた記録装置において、サービスマンによるヘッド保守装置のメンテナンスや修理の利便性と記録装置の安全性や機能の保持とを両立させる。【解決手段】  筐体本体２２の内側に配設されているヘッド保守装置１９は、筐体本体２２を取り外すことなく、第１開口２２１を通じて目視で点検することができるとともに、第１開口２２１を通じてクリーニング等のメンテナンス作業を行うことが可能である。第１開口２２１を塞ぐ右上部カバー２４は、右上部カバー２４を筐体本体２２に係止する係止爪２４８が、右上部カバー２４の内側であって筐体本体２２の外側から係止解除操作が可能な位置に設けられている。【選択図】  図４
2011161794.tif 000002
【特許請求の範囲】
【請求項１】
被記録材の記録面にドットを形成する記録ヘッドが搭載され、所定の往復動方向へ往復動可能に支持されるキャリッジと、
前記キャリッジの可動範囲の所定位置に配設され、前記記録ヘッドの保守を行うヘッド保守装置と、を備えた記録装置であって、
前記記録装置の筐体は、前記ヘッド保守装置に対応する部分に第１開口が形成されているとともに、前記第１開口を塞ぐ蓋体が設けられており、
前記蓋体を前記筐体に係止する第１係止部が、前記蓋体又は前記筐体の内側であって前記筐体の外側から係止解除操作が可能な位置に設けられている、ことを特徴とした記録装置。
【請求項２】
請求項１に記載の記録装置において、前記筐体は、前記記録ヘッドによる記録実行領域に対応する部分に第２開口が形成されているとともに、前記第２開口を開閉可能なカバーが設けられており、
前記第１係止部は、前記第２開口を通じて係止解除操作が可能な位置に設けられている、ことを特徴とした記録装置。
【請求項３】
請求項１又は２に記載の記録装置において、前記蓋体を前記筐体に係止する第２係止部と、前記第２係止部の係合が解除される方向への前記蓋体の移動を係止する第３係止部とが前記蓋体又は前記筐体の内側に設けられており、
前記第1係止部における前記蓋体の係止を解除することによって前記第３係止部における前記蓋体の係止が解除可能な状態となり、前記第３係止部における前記蓋体の係止を解除することによって前記第２係止部における前記蓋体の係止が解除可能な状態となる、ことを特徴とした記録装置。
【発明の詳細な説明】
【技術分野】
【０００１】
本発明は、被記録材の記録面にドットを形成する記録ヘッドが搭載され、所定の往復動方向へ往復動可能に支持されるキャリッジと、キャリッジの可動範囲の所定位置に配設され、記録ヘッドの保守を行うヘッド保守装置と、を備えた記録装置に関する。
【背景技術】
【０００２】
キャリッジにインクカートリッジが搭載された記録装置（いわゆるオンキャリッジタイプの記録装置）においては、インクカートリッジを交換するための所定位置（以下、「交換ポジション」という。）においてのみインクカートリッジを着脱することが可能になっているのが一般的である。これは、例えばインクが充分に残っているインクカートリッジをユーザーが着脱することに起因してヘッドメニスカスの破壊等が生ずることを未然に防止するためである。
【０００３】
このインクカートリッジの交換ポジションは、具体的には、その位置にキャリッジが停止している状態においてのみキャリッジのインクカートリッジの交換が可能なように筐体に開口を形成することによって実現される。つまり交換ポジション以外の位置にキャリッジが停止している状態では、インクカートリッジの交換が筐体により物理的に制限されるようになっている。そしてキャリッジの移動を制御する制御装置は、インクカートリッジのインク切れを検出した場合にのみ、その交換ポジションにキャリッジを停止させ、インク切れしたインクカートリッジの交換が必要である旨を表示部等に表示する。
【０００４】
ところでインクジェットプリンター等の記録装置において故障等が生じた場合には、一般的に専門のサービスマンによりメンテナンスや修理等が行われる。そしてサービスマンによるメンテナンスや修理等の際には、インク切れの有無にかかわらず、キャリッジのインクカートリッジを交換する必要が生ずる場合がある。つまり交換ポジション以外の位置にキャリッジがある状態でインクカートリッジを交換する必要が生ずる場合がある。このような場合にインクカートリッジを交換するには、サービスマンは、多数のネジ等で固定されている筐体全体を取り外さなければならず、サービスマンによるメンテナンスや修理の利便性の面で課題が生ずることになる。
【０００５】
このような課題を解決することを目的とした従来技術の一例としては、例えばインクカートリッジの交換ポジションにキャリッジを強制的に移動させる機能をもたせた記録装置が公知である（例えば特許文献１を参照）。より具体的には、当該記録装置は、所定のボタン操作等をサービスマンが行うことにより、インク切れが生じていない場合でもキャリッジを強制的に交換ポジションへ移動させることができるようにしたものである。当該従来技術によれば、サービスマンは、インクジェットプリンターの筐体全体を取り外すことなく、いつでも自由に（インク切れの有無にかかわらず）インクカートリッジの交換を行うことができるので、サービスマンがメンテナンスや修理等を行う際の利便性を向上させることができる。
【０００６】
また、サービスマンによるメンテナンスや修理の利便性を向上させる他の従来技術の一例としては、例えば筐体の一部を構成するトップカバーが簡単に着脱可能な構造の記録装置（画像形成装置）が公知である（例えば特許文献２を参照）。当該従来技術によれば、筐体の一部であるトップカバーが簡単に着脱可能な構造であることによって、サービスマンがメンテナンスや修理等を行う際の操作性が向上するため、サービスマンによるメンテナンスや修理の利便性を向上させることができる。
【先行技術文献】
【特許文献】
【０００７】
【特許文献１】特開２０００−３２６５２５号公報
【特許文献２】特開２００９−１６９１２０号公報
【発明の概要】
【発明が解決しようとする課題】
【０００８】
インクジェットプリンター等の記録装置の内部には、例えば特許文献１にも開示されているように、主に待機時に記録ヘッドの保守を行うためのヘッド保守装置が設けられているのが一般的である。このヘッド保守装置は、例えばインクシステム等と呼ばれるものであり、待機時に記録ヘッドのヘッド面をキャップで封止して噴射ノズル内のインクの乾燥等を防止するキャッピング機構、記録ヘッドのヘッド面を封止した状態で吸引する吸引ポンプ、記録ヘッドのヘッド面に付着した余分なインクや紙粉等の異物を払拭するワイピング機構等を有している。
【０００９】
このヘッド保守装置は、待機時に記録ヘッドの保守を実行する都合上、キャリッジの可動範囲の端部に設定された所定の待機位置（以下「ホームポジション」という。）に配設されている。つまり記録を実行していない待機時には、常にキャリッジがホームポジションに停止している状態となる。ここで仮にホームポジションと同じ位置に前記の交換ポジションが設定されているとすると、待機時に常に、ユーザーによるインクカートリッジの着脱が可能な状態となってしまう。つまり交換ポジションとホームポジションとが同じ位置となる構造は、待機時に常に、インクが充分に残っているインクカートリッジを着脱することに起因したヘッドメニスカスの破壊等の虞が生ずることになってしまう。そのため記録装置における前記の交換ポジションは、ホームポジションと異なる位置に設定されているのが通常である。
【００１０】
例えば記録装置内部に設けられたヘッド保守装置のメンテナンスや修理を行う際には、サービスマンは、まずヘッド保守装置の異常の有無等を目視で点検することになる。しかし前述したように、ヘッド保守装置が配設されているホームポジションと交換ポジションとは異なる位置に設定されているのが通常である。そのため、ホームポジションに配設されたヘッド保守装置を交換ポジションに設けられた開口から目視で点検することは、困難な場合が多い。またメンテナンスや修理の対象となる記録装置においては、例えばヘッド保守装置のキャップのクリーニング等を行うだけで本来の機能を回復するような場合も少なくない。しかし、ホームポジションに配設されたヘッド保守装置のクリーニング等を交換ポジションに設けられた開口を通じて行うことは、ヘッド保守装置が配設されているホームポジションと交換ポジションとが異なる位置に設定されていることから、やはり困難な場合が多い。さらに、インクチューブ等を介してキャリッジにインクを供給する構成の記録装置（いわゆるオフキャリッジタイプの記録装置）においては、そもそもインクカートリッジを交換するための開口が筐体に設けられていない。
【００１１】
このようなことから従来の記録装置は、記録装置内部に設けられたヘッド保守装置のメンテナンスや修理を行う際に、サービスマンは、目視による点検を行う段階から常に筐体全体を取り外す作業を行わなければならないことになる。つまり従来の記録装置は、ヘッド保守装置の交換等の本格的な修理作業を必要としないような場合（例えばキャップ等に付着した異物を単に除去するだけでヘッド保守装置の機能が正常に回復するような場合）であっても、常に筐体全体を取り外す作業が必須となってしまうため、作業効率が悪く、サービスマンによるメンテナンスや修理の利便性の面で課題がある。
【００１２】
このような課題は、例えば特許文献２に開示されている従来技術のように、トップカバー等の筐体の一部を簡単に着脱可能な構造とすることによって解消することが可能である。そのようにすれば、ヘッド保守装置のメンテナンスや修理等をサービスマンが行う際には、そのトップカバー等をサービスマンが取り外すことで、そのトップカバー等を取り外した部分の開口を通じて、ヘッド保守装置の目視による点検やクリーニング等を行うことが可能になる。すなわち筐体全体を取り外すことなく、ヘッド保守装置の目視による点検やクリーニング等を行うことが可能になる。しかしながら例えばユーザー等、サービスマン以外の者が筐体のトップカバー等を簡単に取り外して記録装置内部に容易に触れることが可能な構造は、記録装置の安全性や機能の保持等の観点から好ましくない。
【００１３】
このような状況に鑑み本発明は成されたものであり、本発明の目的は、記録ヘッドの保守を行うヘッド保守装置を備えた記録装置において、サービスマンによるヘッド保守装置のメンテナンスや修理の利便性と記録装置の安全性や機能の保持とを両立させることにある。
【課題を解決するための手段】
【００１４】
本発明の第１の態様は、被記録材の記録面にドットを形成する記録ヘッドが搭載され、所定の往復動方向へ往復動可能に支持されるキャリッジと、前記キャリッジの可動範囲の所定位置に配設され、前記記録ヘッドの保守を行うヘッド保守装置と、を備えた記録装置であって、前記記録装置の筐体は、前記ヘッド保守装置に対応する部分に第１開口が形成されているとともに、前記第１開口を塞ぐ蓋体が設けられており、前記蓋体を前記筐体に係止する第１係止部が、前記蓋体又は前記筐体の内側であって前記筐体の外側から係止解除操作が可能な位置に設けられている、ことを特徴とした記録装置である。
【００１５】
蓋体を筐体に係止する第１係止部は、蓋体又は筐体の内側に設けられているので、ユーザーは、その第１係止部を筐体の外側から視認することはできない。つまり蓋体又は筐体の内側に設けられている第１係止部の存在をユーザーが認識することは困難である。したがって、ユーザーが第１係止部の係止解除操作を行って筐体から蓋体を取り外してしまう虞を低減させることができる。それによって、第１開口を通じてユーザーがヘッド保守装置に触れる虞を低減させることができるので、記録装置の安全性や機能の保持を確保することができる。
【００１６】
他方、第１係止部は、蓋体又は筐体の内側であっても筐体の外側から係止解除操作が可能な位置に設けられている。したがって、蓋体又は筐体の内側の所定位置に第１係止部が存在することについての情報を予め有するサービスマンは、蓋体又は筐体の内側にある第１係止部の係止解除操作を筐体の外側から容易に行うことができるので、蓋体を筐体から簡単に取り外すことができる。それによって、筐体全体を取り外すことなく第１開口を通じてヘッド保守装置の目視による点検やクリーニング等の作業を行うことができるので、サービスマンによるヘッド保守装置のメンテナンスや修理の利便性を向上させることができる。
【００１７】
これにより本発明の第１の態様によれば、記録ヘッドの保守を行うヘッド保守装置を備えた記録装置において、サービスマンによるヘッド保守装置のメンテナンスや修理の利便性と記録装置の安全性や機能の保持とを両立させることができるという作用効果が得られる。
【００１８】
本発明の第２の態様は、前述した第１の態様に記載の記録装置において、前記筐体は、前記記録ヘッドによる記録実行領域に対応する部分に第２開口が形成されているとともに、前記第２開口を開閉可能なカバーが設けられており、前記第１係止部は、前記第２開口を通じて係止解除操作が可能な位置に設けられている、ことを特徴とした記録装置である。
【００１９】
記録ヘッドによる記録実行領域に対応する部分に第２開口を設けることによって、いわゆる紙ジャム等が生じた際に、ユーザーは、その第２開口を通じて記録装置内部に引っ掛かって残留している被記録材を容易に取り出すことができる。また第２開口の開閉カバーを設け、通常時は開閉カバーを閉じておくことによって、記録装置の内部に埃等の異物が侵入する虞を低減させることができる。そして、第２開口を通じて係止解除可能な位置に第１係止部を設けることによって、蓋体又は筐体の内側であって筐体の外側から係止解除操作が可能な位置に第１係止部を配置することが容易に実現できる。さらに第２開口は、通常は開閉カバーで閉じた状態となるため、蓋体又は筐体の内側に設けられた第１係止部をユーザーが偶然発見してしまう虞をより低減させることができる。
【００２０】
本発明の第３の態様は、前述した第１の態様又は第２の態様に記載の記録装置において、前記蓋体を前記筐体に係止する第２係止部と、前記第２係止部の係合が解除される方向への前記蓋体の移動を係止する第３係止部とが前記蓋体又は前記筐体の内側に設けられており、前記第１係止部における前記蓋体の係止を解除することによって前記第３係止部における前記蓋体の係止が解除可能な状態となり、前記第３係止部における前記蓋体の係止を解除することによって前記第２係止部における前記蓋体の係止が解除可能な状態となる、ことを特徴とした記録装置である。
【００２１】
このような特徴によれば、例えば振動や衝撃等により第２係止部の係止解除方向の力が蓋体に作用したときに、第２係止部の係止解除方向への蓋体の移動が第３係止部によって係止されるので、その力によって筐体から蓋体が偶発的に外れてしまう虞を低減させることができる。
【図面の簡単な説明】
【００２２】
【図１】インクジェットプリンターの外観斜視図。
【図２】インクジェットプリンターの外観斜視図。
【図３】インクジェットプリンターの要部平面図。
【図４】筐体本体の第１開口の近傍を拡大図示した平面図。
【図５】右上部カバーを表面側から観た斜視図。
【図６】右上部カバーを裏面側から観た斜視図。
【図７】筐体本体の第１開口の近傍を拡大図示した断面図。
【発明を実施するための形態】
【００２３】
以下、本発明の実施の形態を図面に基づいて説明する。
【００２４】
＜インクジェットプリンター１の概略構造＞
インクジェットプリンター１の概略構造について、図１及び図２を参照しながら説明する。  
図１は、インクジェットプリンター１の外観斜視図である。図２は、インクジェットプリンター１の外観斜視図であり、プリンタカバー２３を開いた状態かつ右上部カバー２４を取り外した状態を図示したものである。
【００２５】
「記録装置」としてのインクジェットプリンター１の筐体は、底部の筐体基部２１と筐体本体２２とで構成されている。筐体本体２２は、筐体基部２１やインクジェットプリンター１のフレーム等に多数のネジ等で固定されている。
【００２６】
筐体本体２２の上面には、後述するヘッド保守装置１９に対応する部分に第１開口２２１が形成されている。この第１開口２２１は、サービスマンのために設けられている開口である。具体的には第１開口２２１は、インクジェットプリンター１の修理やメンテナンスの際に、筐体本体２２を取り外すことなく内部のヘッド保守装置１９の点検やクリーニング等をサービスマンが行うことができるようにするために設けられている。「蓋体」としての右上部カバー２４は、この第１開口２２１を塞ぐためのカバーであり、筐体本体２２に着脱可能に設けられている。また筐体本体２２の上面には、記録ヘッド１７による記録実行領域に対応する部分に第２開口２２２が形成されている。この第２開口２２２は、ユーザーのために設けられている開口である。具体的には第２開口２２２は、紙ジャム等によりインクジェットプリンター１の内部に引っ掛かって残留している記録紙Ｐを除去することをユーザーが容易に行えるように設けられている。プリンタカバー２３は、この第２開口２２２を開閉可能に筐体本体２２に支持されている。
【００２７】
また筐体本体２２の前面側には、前面カバー２５が着脱可能に設けられているとともに、ユーザーがインクジェットプリンター１を操作するための操作部２６が設けられている。さらに筐体本体２２の前面側には、図示していない自動給送装置により給送される記録紙Ｐを収容するための給送用トレイ３１が挿脱可能に設けられているとともに、その給送用トレイ３１の上側には、記録実行後の記録紙Ｐが排出されて積重される排出トレイ部３３が設けられている。筐体本体２２の背面側には、インクジェットプリンター１に給送するロール紙を支持するためのロール紙ホルダ部３２が設けられている。
【００２８】
図３は、インクジェットプリンター１の要部平面図である。  
インクジェットプリンター１は、「被記録材」としての記録紙Ｐに記録を実行する手段として、搬送駆動ローラー１１、搬送従動ローラー１２、記録紙支持部材１３、排出駆動ローラー１４、排出従動ローラー１５、キャリッジ１６及び記録ヘッド１７を備えている。
【００２９】
搬送駆動ローラー１１は、外周面に高摩擦被膜が施されており、図示していない搬送用モーターの回転駆動力が伝達されて回転する。搬送従動ローラー１２は、搬送駆動ローラー１１に当接する方向へ付勢された状態で従動回転可能に軸支されている。記録紙支持部材１３は、記録ヘッド１７から記録紙Ｐへインクが噴射される領域で記録紙Ｐを裏面側から支持する。記録ヘッド１７のヘッド面と記録紙Ｐの記録面（記録が実行される面。以下同じ。）との間隔は、この記録紙支持部材１３によって一定の間隔に維持される。排出駆動ローラー１４は、図示していない搬送用モーターの回転駆動力が伝達されて回転する。排出従動ローラー１５は、従動回転可能に軸支されるとともに、排出駆動ローラー１４に当接する方向へ付勢されている。
【００３０】
キャリッジ１６は、キャリッジガイド軸１８及びキャリッジ支持フレーム（図示せず）によって、主走査方向Ｘへ往復動可能に支持されている。この主走査方向Ｘは、記録紙支持部材１３に支持された状態の記録紙Ｐの記録面に沿って副走査方向Ｙ（記録紙Ｐの搬送方向）と交差する方向である。キャリッジガイド軸１８は、主走査方向Ｘに沿って配設された金属軸体からなる部品である。キャリッジ１６は、図示していないキャリッジ駆動用モーターの駆動プーリーと従動プーリーとの間に掛架された無端ベルトが連結されている。キャリッジ１６は、キャリッジ駆動用モーターの回転駆動力で無端ベルトを双方向回転させることによって主走査方向Ｘへ往復動する。
【００３１】
記録ヘッド１７は、記録紙支持部材１３に支持された状態の記録紙Ｐの記録面にヘッド面が対面するようにキャリッジ１６に搭載されている。記録ヘッド１７のヘッド面には、記録紙Ｐの記録面にインクを噴射してドットを形成するための多数の噴射ノズルが設けられている（図示せず）。キャリッジ１６に搭載された記録ヘッド１７には、インクジェットプリンター１の本体に設けられたインクタンク（図示せず）からインクが供給される。このインクタンクから記録ヘッド１７へのインクの供給は、インクチューブ（図示せず）を介して行われる。
【００３２】
記録紙Ｐは、搬送駆動ローラー１１と搬送従動ローラー１２とで挟持され、搬送駆動ローラー１１の駆動回転によって記録紙支持部材１３上を副走査方向Ｙへ搬送される。記録紙支持部材１３上の記録紙Ｐは、キャリッジ１６が主走査方向Ｘへ往復動しながら記録ヘッド１７のヘッド面から記録面にインクを噴射してドットを形成する動作と、搬送駆動ローラー１１の駆動回転により所定の搬送量で副走査方向Ｙへ搬送される動作とが交互に繰り返されることによって、記録面に記録が実行される。そして、記録面に記録が実行された記録紙Ｐは、排出駆動ローラー１４と排出従動ローラー１５とで挟持され、排出駆動ローラー１４の駆動回転により副走査方向Ｙへ搬送されてインクジェットプリンター１から排出される。これらの一連の記録制御は、公知のマイコン制御回路を有する制御装置（図示せず）により実行される。
【００３３】
またインクジェットプリンター１は、記録を実行しない待機時に記録ヘッド１７の保守を行うためのヘッド保守装置１９を備えている。公知のヘッド保守装置１９は、キャリッジ１６の可動範囲の所定位置（ホームポジション）に配設されており、記録を実行しない待機時に記録ヘッド１７のヘッド面を封止するキャップＣＰや記録ヘッド１７のヘッド面に付着している余分なインクや紙粉等を払拭するワイパー（図示せず）等を有している。
【００３４】
＜右上部カバー２４の取付構造＞
筐体本体２２に対する右上部カバー２４の取付構造について、図４〜図７を参照しながら説明する。  
図４は、筐体本体２２の第１開口２２１の近傍を拡大図示した平面図である。図５は、右上部カバー２４を表面側から観た斜視図である。図６は、右上部カバー２４を裏面側から観た斜視図である。図７は、筐体本体２２の第１開口２２１の近傍を拡大図示した断面図であり、図７（ａ）は図４のＡ−Ａ´断面、図７（ｂ）は図４のＢ−Ｂ´断面、図７（ｃ）は図４のＣ−Ｃ´断面をそれぞれ図示したものである。  
尚、図４においては右上部カバー２４の図示は省略しているが、図７においては右上部カバー２４が取り付けられた状態の筐体本体２２の断面を図示している。
【００３５】
筐体本体２２の内側に配設されているヘッド保守装置１９は、筐体本体２２を取り外すことなく、第１開口２２１を通じて目視で点検することができるとともに、第１開口２２１を通じてクリーニング等のメンテナンス作業を行うことが可能である（図４）。筐体本体２２の第１開口２２１の平面視向かって右側には、筐体本体２２の側面より内側へ段差をもって側壁部２２３が形成されている。この側壁部２２３には、２つの係止孔２２８が形成されている。また筐体本体２２の第１開口２２１の平面視向かって左後方側には、右上部カバー２４をネジ止め固定するためのネジ穴２２４が形成されている。このネジ穴２２４は、閉じた状態のプリンタカバー２３に隠れる位置に形成されている。さらに、筐体本体２２の第１開口２２１の平面視向かって左後方側及び左前方側には、第１凹部２２５及び第２凹部２２６が形成されている。さらに、筐体本体２２の第１開口２２１の平面視向かって左前方側には、係止壁部２２７が形成されている。
【００３６】
右上部カバー２４は、筐体本体２２のネジ穴２２４に対応する部分に鍔部２４１が形成されており、鍔部２４１には貫通孔部２４２が形成されている。この貫通孔部２４２は、筐体本体２２に右上部カバー２４を取り付けた状態において筐体本体２２のネジ穴２２４と一致する位置に形成されている。つまり右上部カバー２４は、鍔部２４１の貫通孔部２４２を介して筐体本体２２にネジ止め固定することができる。
【００３７】
右上部カバー２４には、第１爪部２４３、第２爪部２４４、第１位置決め凸部２４５、第２位置決め凸部２４６、突起部２４７及び係止爪２４８が形成されている。これらは全て右上部カバー２４の内側（裏面側）に一体形成されている。
【００３８】
「第２係止部」としての第１爪部２４３及び第２爪部２４４は、右上部カバー２４を筐体本体２２に取り付けた状態において筐体本体２２の係止孔２２８に係合する位置に形成されている。「第３係止部」としての第１位置決め凸部２４５は、右上部カバー２４を筐体本体２２に取り付けた状態において筐体本体２２の第１凹部２２５に係合する位置に形成されている。同様に「第３係止部」としての第２位置決め凸部２４６は、右上部カバー２４を筐体本体２２に取り付けた状態において筐体本体２２の第２凹部２２６に係合する位置に形成されている。突起部２４７は、係止爪２４８の撓み変形を一定範囲内に規制して、係止爪２４８が撓み過ぎて破損等してしまうことを防止するためのものである。「第１係止部」としての係止爪２４８は、右上部カバー２４を筐体本体２２に取り付けた状態において筐体本体２２の係止壁部２２７に係合する位置に設けられている。
【００３９】
右上部カバー２４を筐体本体２２に取り付けるときは、まず右上部カバー２４の第１爪部２４３及び第２爪部２４４を筐体本体２２の係止孔２２８に係合させる（図７（ａ））。それによって右上部カバー２４の右側（平面視向かって右側）が筐体本体２２に係止される。つづいて、その状態から右上部カバー２４の第１位置決め凸部２４５を筐体本体２２の第１凹部２２５に係合させるとともに、右上部カバー２４の第２位置決め凸部２４６を筐体本体２２の第２凹部２２６に係合させる（図７（ｂ））。それによって、右上部カバー２４の第１爪部２４３及び第２爪部２４４が筐体本体２２の係止孔２２８から外れる方向（係止解除方向）への右上部カバー２４の移動が係止されるとともに、筐体本体２２に対する右上部カバー２４の位置決めがなされる。この第１位置決め凸部２４５及び第２位置決め凸部２４６によって、振動や衝撃等により筐体本体２２から右上部カバー２４が偶発的に外れてしまう虞を低減させることができる。つづいて、右上部カバー２４の係止爪２４８を筐体本体２２の係止壁部２２７に係合させる（図７（ｃ））。それによって、右上部カバー２４の第１位置決め凸部２４５及び第２位置決め凸部２４６が筐体本体２２の第１凹部２２５及び第２凹部２２６から外れる方向（係止解除方向）への右上部カバー２４の移動が係止されるとともに、右上部カバー２４の左側（平面視向かって左側）が筐体本体２２に係止され、その結果、右上部カバー２４が筐体本体２２に取り付けられて固定された状態となる。そして、貫通孔部２４２を通じて筐体本体２２のネジ穴２２４にネジを螺合させて右上部カバー２４を筐体本体２２にネジ止め固定することによって、より強固に右上部カバー２４を筐体本体２２に固定することができる。
【００４０】
他方、右上部カバー２４を筐体本体２２から取り外すときには、まずプリンタカバー２３を開いた状態とし、右上部カバー２４を筐体本体２２にネジ止め固定しているネジを取り外す。つづいて、右上部カバー２４の係止爪２４８を係止解除方向へ押し曲げて撓ませながら右上部カバー２４の左側を上方へ持ち上げれば良い。この右上部カバー２４の内側に形成されている係止爪２４８の係止解除操作は、筐体本体２２の外側から第２開口２２２を通じて行うことができる。この右上部カバー２４の係止爪２４８の係止解除操作によって、右上部カバー２４の係止爪２４８と筐体本体２２の係止壁部２２７との係合が解除されるとともに、右上部カバー２４の第１位置決め凸部２４５及び第２位置決め凸部２４６と筐体本体２２の第１凹部２２５及び第２凹部２２６との係合が解除される。つまり、右上部カバー２４の係止爪２４８における右上部カバー２４の係止を解除することによって、右上部カバー２４の第１位置決め凸部２４５及び第２位置決め凸部２４６における右上部カバー２４の係止が解除可能な状態となる。そして、右上部カバー２４の第１位置決め凸部２４５及び第２位置決め凸部２４６における右上部カバー２４の係止を解除することによって、右上部カバー２４の第１爪部２４３及び第２爪部２４４と筐体本体２２の係止孔２２８との係合を解除することが可能になる。つまり、右上部カバー２４の第１爪部２４３及び第２爪部２４４における右上部カバー２４の係止が解除可能な状態となり、右上部カバー２４を筐体本体２２から取り外すことができる。
【００４１】
以上説明したように、右上部カバー２４を筐体本体２２に係止する係止爪２４８（第１係止部）は、右上部カバー２４の内側に設けられているので、ユーザーは、その係止爪２４８を筐体本体２２の外側から視認することはできない。つまり右上部カバー２４の内側に設けられている係止爪２４８の存在をユーザーが認識することは困難である。したがって、ユーザーが右上部カバー２４の係止爪２４８の係止解除操作を行って筐体本体２２から右上部カバー２４を取り外してしまう虞を低減させることができる。それによって、第１開口２２１を通じてユーザーがヘッド保守装置１９に触れる虞を低減させることができるので、インクジェットプリンター１の安全性や機能の保持を確保することができる。
【００４２】
他方、右上部カバー２４の係止爪２４８は、右上部カバー２４の内側であっても筐体本体２２の外側から第２開口２２２を通じて係止解除操作が可能な位置に設けられている。したがって、右上部カバー２４の内側の所定位置に係止爪２４８が存在することについての情報を予め有するサービスマンは、右上部カバー２４の内側にある係止爪２４８の係止解除操作を筐体本体２２の外側から容易に行うことができるので、筐体本体２２から右上部カバー２４を簡単に取り外すことができる。それによって、筐体本体２２を取り外すことなく第１開口２２１を通じてヘッド保守装置１９の目視による点検やクリーニング等の作業を行うことができるので、サービスマンによるヘッド保守装置１９のメンテナンスや修理の利便性を向上させることができる。
【００４３】
このようにして本発明によれば、記録ヘッド１７の保守を行うヘッド保守装置１９を備えたインクジェットプリンター１において、サービスマンによるヘッド保守装置１９のメンテナンスや修理の利便性とインクジェットプリンター１の安全性や機能の保持とを両立させることができる。
【００４４】
尚、本発明は、上記説明した実施例に限定されることなく、特許請求の範囲に記載した発明の範囲内で種々の変形が可能であり、それらも本発明の範囲内に含まれるものであることは言うまでもない。
【符号の説明】
【００４５】
１  インクジェットプリンター、１９  ヘッド保守装置、２１  筐体基部、２２  筐体本体、２３  プリンタカバー、２４  右上部カバー、２２１  第１開口、２２２  第２開口、２２３  側壁部、２２４  ネジ穴、２２５  第１凹部、２２６  第２凹部、２２７  係止壁部、２２８  係止孔、２４１  鍔部、２４２  貫通孔部、２４３  第１爪部、２４４  第２爪部、２４５  第１位置決め凸部、２４６  第２位置決め凸部、２４７  突起部、２４８  係止爪、ＣＰ  キャップ、Ｐ  記録紙、Ｘ  主走査方向、Ｙ  副走査方向
【図１】
2011161794.tif 000003
【図２】
2011161794.tif 000004
【図３】
2011161794.tif 000005
【図４】
2011161794.tif 000006
【図５】
2011161794.tif 000007
【図６】
2011161794.tif 000008
【図７】
2011161794.tif 000009